(57)【特許請求の範囲】
【請求項１】
断面コ字状のトラフ支持部材と断面コ字状の接続部材からなるトラフ支持台であって、両部材の両側板上端部を内側に折曲し、接続部材により接続されるトラフ支持部材の側板には、舌片である係止部または孔である係合部を設けると共に、接続部材の側板には、孔である係合部または舌片である係止部を接続部材の両側に設け、対向するトラフ支持部材の断面コ字状の端部を断面コ字状の接続部材の軸方向に両側から接続部材の内側に嵌合させ、トラフ支持部材の側板上端を接続部材の内側折曲部に差込むことにより両部材を舌片である係止部と孔である係合部とを係着させるものであって、トラフ支持部材の側板または接続部材の側板に舌片である弾性部を有することを特徴とするトラフ支持台。
【請求項２】
トラフ支持部材は、断面Ｌ字状部材と平板状の部材からなり、対向する断面Ｌ字状部材を所定の間隔で設けた平板状の部材により並列状に結合したことを特徴する請求項１に記載のトラフ支持台。
【発明の詳細な説明】
【技術分野】
【０００１】
この出願発明は、トラフ支持台に関する。
【背景技術】
【０００２】
従来、ケーブルを収容して布設するトラフを地上に設置するには、コンクリート製等の重量の大きいトラフを支えるためのトラフ支持台をケーブル布設ルートに連続して設け、このトラフ支持台上に多数のトラフを載置している。
しかし、トラフがコンクリートであるためにトラフ支持台は強度が必要であり、そのために支持台自体も強度のあるものとする必要があり、トラフ支持台自体も重量のあるものとなっていた。また、トラフを支持するためにはトラフ支持台を接続して設置する必要があったが、そのための作業も困難であった。
【発明の開示】
【発明が解決しようとする課題】
【０００３】
この出願発明は、このような問題を解決するものであり、この出願発明者はいろいろ検討した結果、軽量化することができ、しかも、トラフ支持台の接続作業も簡単にすることを見い出しこの出願発明を完成した。
この出願発明は、トラフ支持体を軽量化し、簡単にしかも迅速に施工することができるトラフ支持台を提供することを目的とする。
【課題を解決するための手段】
【０００４】
この出願発明は、断面コ字状のトラフ支持部材と断面コ字状の接続部材からなるトラフ支持台であって、両部材の両側板上端部を内側に折曲し、接続部材により接続されるトラフ支持部材の側板には、舌片である係止部または孔である係合部を設けると共に、接続部材の側板には、孔である係合部または舌片である係止部を接続部材の両側に設け、対向するトラフ支持部材の断面コ字状の端部を断面コ字状の接続部材の軸方向に両側から接続部材の内側に嵌合させ、トラフ支持部材の側板上端を接続部材の内側折曲部に差込むことにより両部材を舌片である係止部と孔である係合部とを係着させるものであって、トラフ支持部材の側板または接続部材の側板に舌片である弾性部を有するトラフ支持台に関するものである。
【発明の効果】
【０００５】
この出願発明は、トラフ支持部材の側板を折曲してあるので強度が大きくなり、薄い金属板を使用することができ、軽量化を図ることができる。また、折曲してあるので、弾性効果によりトラフを安定した状態で保持することができる。
トラフ支持台の側板にはトラフ支持部材を接続するための係止部が設けられているので、初心者でも簡単にトラフ支持台を接続することができる。
さらに、接続するトラフ支持部材を押さえるための弾性部が設けられている接続したトラフ支持台を安定した状態で保持することができる。
【発明を実施するための最良の形態】
【０００６】
この出願発明は、金属製であることがとくに好ましい。
また、トラフ支持部材は接続部材の内側に嵌合させることが好ましい。
係合部は、打ち抜かれた孔であることがとくに好ましく、係止部は孔に係止される舌片であることがとくに好ましい。
【０００７】
この出願発明は、接続部材の側板に弾性部を有することがとくに好ましい。
この弾性部によって、トラフ支持部材と接続部材とを強く固定することができる。
【０００８】
この出願発明の弾性部は舌片であることがとくに好ましい。このようにすることによりトラフ支持部材と接続部材とを簡単に嵌合することができる。
【０００９】
この出願発明のトラフ支持部材は、断面Ｌ字状部材と平板状の部材からなり、対向する断面Ｌ字状部材を所定の間隔で設けた平板状の部材により結合したものであることがとくに好ましい。
このようにすることにより現場で簡単に組み立てることができる。
【００１０】
以下、実施例によって、この出願発明を具体的に説明する。
図１はトラフを載置したトラフ支持台であり、図２はトラフ支持台であり、図３はトラフ支持台の接続部の分解図であり、図４はトラフ支持台を接続した状態を示す平面図であり、図５はトラフ支持台を接続した状態を示す側面図であり、１はトラフ支持台を、２はトラフ支持部材を、３は接続部材を、４は側板を、５は側板上端部を、６は断面Ｌ字状部材を、７は平板状の部材を、８は係合部を、９は係止部を、１０は弾性部、１１はトラフをそれぞれ示す。
【実施例１】
【００１１】
図２に示すように、高さが６．５ｃｍ、長さが２００ｃｍの側板に孔の係合部８を有する対向する断面Ｌ字状部材６を、幅が３．８ｃｍ、長さが２０ｃｍの平板状の部材７により５０ｃｍの間隔で結合してトラフ支持部材２を作製する。
また、図２に示すように、高さが６．５ｃｍ、長さが２０ｃｍの側板に舌片の係止部９と舌片の弾性部１０を有する接続部材３を作製する。ここで舌片の係止部９と舌片の弾性部１０は、図３、図５に示すように接続部材３の側版に、コ字状の切り目を入れることによって形成され、図４に示すように、係止部９としての舌片は孔８と係止し、弾性部１０としての舌片は、トラフ支持部材２の側板４を押える。
つぎに、図３、図４、図５に示すように接続部材３の両側から、トラフ支持部材２を内側にして接続部材３に嵌合して、係止部と係合部および弾性部により、二つのトラフ支持部材２を接続部材３により接続する。
このようにすることにより、図４、図５に示すようにトラフ支持部材２を接続部材３の内側に差し込む形で接続した際、両部材に形成した舌片と孔相互間の係着作業として、トラフ支持部材２に設けた係合部８の孔と接続部材３の係止部９の舌片を接続する。
逆にトラフ支持部材２に設けた係止部９の舌片と接続部材３の係合部８としての孔を接続することでも差し支えない。
また、接続部材３の舌片の弾性部１０がトラフ支持部材２を強く押しつけるので、さらにトラフ支持部材２を接続部材３に強く固定することができる。したがって、接続部材の弾性部としての舌片によって両部材は安定した状態で保持される。
このようにすることにより、トラフ支持台１を作製し、組立てる。
【産業上の利用可能性】
【００１２】
この出願発明は、トラフ支持部材の側板を折曲してあるので強度が大きくなり、薄い金属板を使用することができ、軽量化を図ることができる。
トラフ支持台の側板にはトラフ支持部材を接続するための係止部が設けられているので、初心者でも簡単にトラフ支持台を接続することができる。
【図面の簡単な説明】
【００１３】
【図１】トラフを載置したトラフ支持台
【図２】トラフ支持台
【図３】トラフ支持台の接続部の分解図
【図４】トラフ支持台を接続した状態を示す平面図
【図５】トラフ支持台を接続した状態を示す側面図
【符号の説明】
【００１４】
１  トラフ支持台
２  トラフ支持部材
３  接続部材
４  側板
５  側板上端部
６  断面Ｌ字状部材
７  平板状の部材
８  係合部
９  係止部
１０  弾性部
１１  トラフ
【図１】
0004559902.tif 000002
【図２】
0004559902.tif 000003
【図３】
0004559902.tif 000004
【図４】
0004559902.tif 000005
【図５】
0004559902.tif 000006